(57)【要約】【課題】延伸工程で発生したトウの異常を捲縮機の上流側で簡易的に判別し、切断工程において色彩変化がなく形状変化の判別が困難な繊維でも、高確率かつ効率的に自動分別が出来る短繊維の製造装置と製造方法を提供する。【解決手段】トウを捲縮機の上流側に取り付けた変位センサ及び加速度センサにより異常トウを検出させ、トウの表面に超速乾性のインクを吹き付け、前記のトウに塗付されたインクを切断工程の上流側で検知し、カットされたトウを、自動的にダンパーを切り替えて格下げ処理を行うことを特徴とする短繊維製造方法と装置とする。【選択図】なし【特許請求の範囲】
【請求項１】
紡出された多数のトウが引き揃えられて合糸されたトウを加熱しながら延伸する延伸ステップと、延伸されたトウに捲縮をかける捲縮付与ステップと、前記捲縮付与ステップを含む上流側で異常トウの発生を検出する異常トウ検出ステップと、前記異常トウの発生を検出して異常トウが存在する部分の下流側で異常発生の目印となるインクを付与する目印付与ステップと、捲縮を掛けられたトウを最終的に切断してカット綿とする短繊維化ステップと、前記短繊維化ステップの上流でトウに付与された前記インクを検出するインク検出ステップと、前記インクが検出されたことに基づいて異常トウを含むカット綿と異常トウを含まない正常なカット綿とを分別する分別ステップとを含む短繊維の製造方法。
【請求項２】
前記インクが速乾性のＵＶインクであることを特徴とする、請求項１に記載の短繊維の製造方法。
【請求項３】
前記異常トウ検出ステップが、下記の(A)及び／又は(B)によって行なわれることを特徴とする、請求項１又は請求項２に記載の短繊維の製造方法。
(A) 前記延伸ステップを通過後の延伸トウ中に含まれる未延伸トウがニップローラを通過する際に生じるニップローラの変位を変位センサによって検出すること。
(B) 前記延伸ステップ中で熱硬化した未延伸トウの捲縮付与時に生じる振動を加速度センサによって検出すること。
【請求項４】
トウへの前記インクの付与をインク噴き付けノズルによって連続して３回行うことを特徴とする、請求項１〜３の何れかに記載の短繊維の製造方法。
【請求項５】
前記目印付与ステップによってトウにインクが付与されたにもかかわらず、前記インク検出ステップで付与されたインクが一定時間内に検出されなかった場合に、前記延伸ステップから前記分別ステップまでの全ての工程を停止することを特徴とする、請求項１〜４の何れかに記載の短繊維の製造方法。
【請求項６】
紡出された多数のトウが引き揃えられて合糸されたトウを加熱しながら延伸する延伸機と、延伸されたトウに押込み捲縮をかける捲縮機と、前記捲縮機を含む上流側で異常トウの発生を検出する異常トウ検出センサと、前記異常トウ検出センサからの異常トウ検出信号により異常トウが存在する部分の下流側でインクをトウに付与するインクジェットプリンタと、捲縮を掛けられたトウを最終的に切断してカット綿とするカッターと、前記カッターの上流でトウに付与された前記インクを検出するインク検出センサと、前記インクが検出されたことに基づいて異常トウを含まない正常なカット綿の輸送先から格下げして異常トウを含むカット綿の輸送先へと切り替える切替機とを少なくとも備えた短繊維の製造装置。
【請求項７】
前記異常トウ検出センサが、下記の(a)及び／又は(b)に記載のものであることを特徴とする、請求項６に記載の短繊維の製造装置。
(a) 前記延伸ステップを通過後の延伸トウ中に含まれる未延伸トウがニップローラを通過する際に生じるニップローラの変位を検出する変位センサ。
(b) 前記延伸ステップ中で熱硬化した未延伸トウの捲縮付与時に生じる振動を検出する加速度センサ。
【請求項８】
前記インクが速乾性のＵＶインクであって、前記インク検出センサがＵＶインク検出センサであることを特徴とする、請求項６又は請求項７に記載の短繊維の製造装置。
【発明の詳細な説明】
【技術分野】
【０００１】
本発明は、ポリエステル繊維、ポリアミド繊維などから成る紡出トウを延伸後に、切断工程でトウをショートカットして短繊維を製造する際に、品質に問題が生じた製品を分別することができ、これによって品質に優れた製品からなる短繊維を製造する方法と装置に関する。
【背景技術】
【０００２】
一般に、ポリエステル繊維、ポリアミド繊維からなる短繊維の製造工程では、各紡糸口金から紡糸された原糸のままのトウでは伸度が過大で強度も低く実用に適さないので、紡出したトウを延伸して所定の物性を発現させた後に、捲縮処理を施して所定の長さに切断し開繊することが行なわれる。
【０００３】
しかしながら、紡糸工程で各口金から紡出したトウ群を集束送り出しする時に引きつりが起きたり、トウ延伸工程でトウの一部が未延伸だったりすると熱処理によってトウが硬化するので、ガタツキが起き、捲縮が正常にかからなかったり、品質に問題が発生する。このため、正常に品質を管理するために延伸工程で異常を検査して、人間が異常部分のトウに結び目を付け、カッター工程でそれを検知し、格下げ処理を行っていた。
【０００４】
しかしながら、短繊維の銘柄にもよるが、通常数十m/minと高速で延伸されている上に、切れ目のないトウに結び目を付けるためには一旦設備を停止させる必要がある。言うまでもなく、このような格下げ処理方法は、異常トウがある毎に設備を停止させることになり、生産効率が落ちる要因ともなっていた。特に、結び目と格下げ処理の作業に人手を要し、延伸・切断工程のコストアップにつながっており、また、ヒューマン・エラーが起きる要因にもなっていた。
【０００５】
そこで、異常な繊維の分別を人手に頼ることなく、自動分別装置によって行おうとする試みが特許文献１に提案されている。この従来技術では、速度４〜１２m/minで動くベルトコンベア上の繊維自体の変色を検出し、装置の先端に固設してある吸着バイブで吸着するものである。
【０００６】
しかしながら、いずれの従来技術も繊維自体の色彩の変化を検出しようとするものである。前述通り、短繊維は繊維自体に色彩の変化がないために、色彩変化がない繊維での異常トウ分別技術が求められており、簡易的な測定方法での分別技術が求められている。
【特許文献１】特開昭６１−１０２４７１号公報
【発明の開示】
【発明が解決しようとする課題】
【０００７】
以上に述べた従来技術が有する諸問題に鑑み、本発明が解決しようとする課題は、下記の通りである。
すなわち、本発明が解決しようとする課題は、色彩変化がなく、しかも形状変化の判別が困難な繊維であっても、延伸工程で発生したトウの異常を捲縮機を含んだ上流側で簡易的に検出して、異常トウを含む製品を高い確率で効率的に異常トウを含まない品質に優れた製品と自動的に分別できる短繊維の製造方法と製造装置を提供することにある。
【課題を解決するための手段】
【０００８】
ここに、上記課題を解決する本発明として、下記(1)〜(8)に係る発明が提供される。
(1) 紡出された多数のトウが引き揃えられて合糸されたトウを加熱しながら延伸する延伸ステップと、延伸されたトウに捲縮をかける捲縮付与ステップと、前記捲縮付与ステップを含む上流側で異常トウの発生を検出する異常トウ検出ステップと、前記異常トウの発生を検出して異常トウが存在する部分の下流側で異常発生の目印となるインクを付与する目印付与ステップと、捲縮を掛けられたトウを最終的に切断してカット綿とする短繊維化ステップと、前記短繊維化ステップの上流でトウに付与された前記インクを検出するインク検出ステップと、前記インクが検出されたことに基づいて異常トウを含むカット綿と異常トウを含まない正常なカット綿とを分別する分別ステップとを含む短繊維の製造方法。
【０００９】
(2) 前記インクが速乾性のＵＶインクであることを特徴とする、(1)に記載の短繊維の製造方法。
【００１０】
(3) 前記異常トウ検出ステップが、下記の(A)及び／又は(B)によって行なわれることを特徴とする、(1)又は(2)に記載の短繊維の製造方法。
(A) 前記延伸ステップを通過後の延伸トウ中に含まれる未延伸トウがニップローラを通過する際に生じるニップローラの変位を変位センサによって検出すること。
(B) 前記延伸ステップ中で熱硬化した未延伸トウの捲縮付与時に生じる振動を加速度センサによって検出すること。
【００１１】
(4) トウへの前記インクの付与をインク噴き付けノズルによって連続して３回行うことを特徴とする、(1)〜(3)の何れかに記載の短繊維の製造方法。
【００１２】
(5) 前記目印付与ステップによってトウにインクが付与されたにもかかわらず、前記インク検出ステップで付与されたインクが一定時間内に検出されなかった場合に、前記延伸ステップから前記分別ステップまでの全ての工程を停止することを特徴とする、(1)〜(4)の何れかに記載の短繊維の製造方法。
【００１３】
(6) 紡出された多数のトウが引き揃えられて合糸されたトウを加熱しながら延伸する延伸機と、延伸されたトウに押込み捲縮をかける捲縮機と、前記捲縮機を含む上流側で異常トウの発生を検出する異常トウ検出センサと、前記異常トウ検出センサからの異常トウ検出信号により異常トウが存在する部分の下流側でインクをトウに付与するインクジェットプリンタと、捲縮を掛けられたトウを最終的に切断してカット綿とするカッターと、前記カッターの上流でトウに付与された前記インクを検出するインク検出センサと、前記インクが検出されたことに基づいて異常トウを含まない正常なカット綿の輸送先から格下げして異常トウを含むカット綿の輸送先へと切り替える切替機とを少なくとも備えた短繊維の製造装置。
【００１４】
(7)   前記異常トウ検出センサが、下記の(a)及び／又は(b)に記載のものであることを特徴とする、(6)に記載の短繊維の製造装置。
(a) 前記延伸ステップを通過後の延伸トウ中に含まれる未延伸トウがニップローラを通過する際に生じるニップローラの変位を検出する変位センサ。
(b) 前記延伸ステップ中で熱硬化した未延伸トウの捲縮付与時に生じる振動を検出する加速度センサ。
【００１５】
(8) 前記インクが速乾性のＵＶインクであって、前記インク検出センサがＵＶインク検出センサであることを特徴とする、(6)又は(7)に記載の短繊維の製造装置。
【発明の効果】
【００１６】
本発明によれば、延伸時にトウに異常が発生し、品質劣化の原因となる異常トウを充分に格下げ分別処理でき、安定的でコストパフォーマンスに優れたカット綿を製綿することが可能となるという極めて顕著な効果を奏する。
【発明を実施するための最良の形態】
【００１７】
本発明は、延伸されたトウの異常部分を捲縮機の上流側で変位センサ及び加速度センサで検知し、捲縮機の出側のシュートに設置してあるインクジェットプリンタよりＵＶインクを塗布し、切断工程の上流側に設置されたインク検出センサによりＵＶインクを検知したらカッターを停止し、ダンパーを良品処理から格下げ処理に切り替え、一定時間格下げ処理し、格下げ処理後に良品処理にダンパーを切り替えて自動的に格下げ分別処理をする方法と装置に関する。
【００１８】
なお、本明細書において用いる「上流」とは、それぞれの位置から見た場合にトウの進行方向と逆方向側を意味し、また、「下流」とは、それぞれの位置から見た場合にトウの進行方向と順方向側を意味するものとする。
【００１９】
以下、このような本発明の実施形態について、図面を参照しながら詳細に説明する。
図１は、本発明に係る短繊維の製造装置の1つの実施形態を模式的に例示した概略装置構成図である。この図１において、１は延伸機、２は変位センサ、３は捲縮機、３aはニップローラ、４は加速度センサ、５はインクジェットプリンタ、６はインク塗布ノズル、７は乾燥機、８はインク検出センサ、９はカッター、１０は良品処理機、１１は格下げ処理機、１２は切替機、そして、１３は制御装置をそれぞれ示す。
【００２０】
以上に述べたように構成される短繊維の製造工程において、延伸機１で延伸されたトウは、捲縮機３によって例えばスタッフィングボックスへトウを押込んで機械的に捲縮をかけられる。このとき、捲縮機３の上流側に設置された変位センサ２と捲縮機内部に搭載された加速度センサ４からなる異常トウ検出センサを用いて、異常トウの検出を行う。そこで、前記変位センサ２及び／又は前記加速度センサ４からなる異常トウ検出センサを用いて行う異常トウの検出方法について以下に説明する。
【００２１】
延伸工程で発生する未延伸トウ（異常トウ）は、延伸工程で受ける熱処理によって未延伸トウが硬化した状態となって、捲縮機３の前に設けられたニップローラ３aに送られる。そうすると、トウの未延伸部分は正常なトウの延伸部分より厚みがあるので、未延伸トウがニップローラ３aを通過するとニップローラ３aが僅かながら下方にズレを起こす（下側に動く）。そこで、このとき生じたニップローラ３aの変位量を変位センサ２によって検出し、異常トウが通過したと判定する。
【００２２】
次に、ニップローラ３aから未延伸トウが硬化した状態となって捲縮機３に送られてくると、正常な延伸トウより硬いトウに捲縮を掛ける必要が生じるため捲縮機３に通常より大きな振動が起こる。そこで、加速度センサ４によって捲縮機３に生じた前記振動を検知することによって異常トウの発生を判定することができる。すなわち、本発明では、変位センサ２と加速度センサ４とを用いることによって、異なる２つの箇所で異常トウの発生を検出することができる仕組みを採用しているために、異常トウの発生をより正確に検出することができる。
【００２３】
このようにして、変位センサ２と加速度センサ４とを用いて異常トウを検出すると、制御装置１３に異常トウを検出したことを異常検出信号を送信することによって知らせる。そうすると、制御装置１３は、受信した異常検出信号に基づいてインクジェットプリンタ５にＵＶインクをトウに噴き付けるように指令する。
【００２４】
このようにして、検出した異常トウが存在する部分の近傍に、インクジェットプリンタ５が備えるインク塗付ノズル６から超速乾性のＵＶインクを目印として噴き付けることができる。そして、このとき噴き付けられた目印のＵＶインクは、インク検出センサ８によって検出され、検出信号として前記制御装置１３に送られる。その際、インク検出センサ８によるインクの検知ミスを極力少なくするために、インクは異常トウに連続して３回噴き付けることとする。
【００２５】
なお、本発明の実施態様ではインクジェットプリンタ５としてユニオンコーポレーション社製のインクジェットプリンタ(型式：LINX4900)を使用したが、本発明の要旨を満足する限りにおいて、インクジェットプリンタの仕様を特に限定する必要は無い。ただし、インク固着を防ぐための循環機能を有するインクジェットプリンタ、あるいは有機溶剤と混合させたインクジェットプリンタを使用することが好ましい。
【００２６】
ここで、本発明の実施態様に係る「ＵＶインクを検出するインク検出センサ８」として、キーエンス社のセンサー(センサヘッド型式：CZ-H52、アンプユニット型式：CZ-V21P)を使用し、本発明の実施態様に係る変位センサ２として、キーエンス社のセンサ (センサヘッド型式：GT-H10、アンプユニット型式：GT-71A)を使用し、本発明の実施態様に係る加速度センサ(振動センサ)４として、トキメック社のセンサ(型式：66W)を用いたことを付言しておく。
【００２７】
以上で、短繊維の製造工程において発生する異常トウの検出についての説明を終了する。次に、以下に、前述のように異常トウを検出することによって異常トウを含む製品を分別すると共に、異常トウを含む製品については格下げして、異常トウを含まない品質の良い製品のみを製造するための短繊維の製造装置と製造方法について説明する。
【００２８】
なお、以下に説明する短繊維の製造工程は、本発明を実施する上で特別な工程でなく、通常に行なわれている工程であれば良い。したがって、図１には、詳細工程を省略し、本発明の実施形態について十分に理解できる程度の概略装置構成を記載してある。
【００２９】
図１に例示した概略装置構成図において、図示省略した紡糸装置に装着された紡糸口金群から紡出された各トウを数十本合糸して引き揃えたトウを延伸機１で延伸し、必要な強伸度、モジュラスなどの糸物性を発現させる。このとき、紡糸口金群からそれぞれ紡出された各トウを合糸して引き揃える際に、トウの引き揃えが十分でなかったり、特定のトウに引きつりなどが生じると、このような部分が次の延伸工程において未延伸トウとなる。
【００３０】
なお、未延伸トウが発生すると、延伸工程中に受ける熱処理によって未延伸トウが硬化することは既に述べた通りである。また、未延伸トウは延伸を十分に受けなかったトウであるから、当然のことながら、延伸を十分に受けて引き伸ばされた延伸トウより繊維径が太くなる。したがって、未延伸トウを含むトウは、トウ全体としてみた場合、トウ全体としても太くなる。
【００３１】
以上に説明したように、延伸機１で延伸されたトウは捲縮機３へ送られるのであるが、この捲縮機３の上流側にはニップローラ３aが設けられている。なお、このニップローラ３aは上下一対のローラからなり、延伸工程を通過したトウがこの一対のローラ間に挟持されながら捲縮機３へ送られる。
【００３２】
このとき、既に説明したように、未延伸トウを含むトウがニップローラ３aを通過すると、このトウは未延伸トウを含まないトウより全体として太くなっているので、ニップローラ３aを無理やりに抉じ開けながら通過する状態が現出することとなる。したがって、このときに生じるニップローラの変位を変位センサ２で捉えることにより、未延伸トウの発生部位を検知することができる。
【００３３】
なお、通常はニップローラ３aとしては、異常な太さを有するトウが通過した場合に上下に設けられた一対のローラ中の何れか一方のローラが僅かに変位するようにして、過大な力がニップローラ３aの軸受部に懸からないようにされている。したがって、変位が許容された何れか一方のローラに変位センサ２を取り付けるようにすれば良い。
【００３４】
ただし、一対のロール間に微小な隙間が形成され、この隙間を常に一定に保つように構成され、それ故に、変位を許容しないニップローラ３aを使用する場合もある。このような場合には、歪ゲージなどからなる歪センサをニップローラ３aを支持する軸受部に貼り付けて、未延伸トウが通過するときに生じる僅かな歪を検出するようにしても良い。
【００３５】
以上に説明したように、本発明においては、ニップローラ３aに変位センサ(歪センサ)２を取り付けることによって、未延伸トウなどの異常トウの発生を検出することができる。しかしながら、本発明は、ニップローラ３aに取り付ける変位センサ(歪センサ)２で異常トウの発生を検出するだけでなく、既に説明したように、捲縮機３に発生した振動を加速度センサ(振動センサ)４で検出することによっても、異常トウの発生を検出する。
【００３６】
すなわち、前述のように合糸異常や引揃え異常等に起因して未延伸トウが発生すると、延伸工程中に受ける熱処理によって、未延伸トウが熱硬化する。そうすると、捲縮機３を構成するスタッフィングボックスに押込む未延伸トウを含む異常トウに捲縮を掛ける際に無理な力が働き、捲縮機３に僅かな振動が発生する。それ故に、この振動を加速度センサ(振動センサ)４で検出すれば、異常トウの発生を検出できる。
【００３７】
このようにして異常トウの発生を検出したならば、直ちにその発生部位の特定が可能なように目印として、インクジェットプリンタ５のインク塗布ノズル６からＵＶインクを即時に噴出させ、捲縮機３を出たトウに対してＵＶインクを好ましくは複数回、特に好ましくは３回噴き付ける。そうすると、捲縮処理中のトウに異常トウが含まれることが捲縮機３の振動などによって検出されると直ぐに、捲縮機２を出たトウにＵＶインクを噴き付けて目印されているので、目印されたトウより後に異常トウが存在することがわかる。
【００３８】
なお、本発明において用いるインクをＵＶインクとすることの大きな理由は、人の目では紫外線（ＵＶ：ultraviolet）を認識して検知することができないからである。このため、人の目によって認識されなければ何等の問題も生じない殆どのケースにおいて、カット綿にＵＶインクが付着されたまま残っていたとしても大きな問題は生じない。
【００３９】
次に、捲縮機２によって捲縮が付与されたトウは乾燥機７へ送られて乾燥され、引き続いて、カッター９が設けられた切断工程において、短く切断されて短繊維化される。このとき、捲縮機３にはトウ詰まりを起こした場合には処理を停止する機能が付設されている。しかしながら、前述の延伸機１、捲縮機３、そして、乾燥機７との関係において、トウ詰まりが発生すると、処理を停止して処理中のトウを取り除いて、再立上げを行う必要があり、製品ロスと機会ロスが生じる。このため、延伸機１と捲縮機３との間、更には捲縮機３と乾燥機７との間でトウ詰まりを防ぐために、その処理状況を監視して、処理工程が静止しないように絶えず互いに同期させた動作状態に置くことが必要となる。
【００４０】
以上に説明したようにして、連続したトウから短繊維が製造されるのであるが、本発明においては、異常トウが発生した場合に、発生した異常トウを含むカット繊維については、正常なカット繊維とは別に格下げ製品とすることを特徴とする。そこで、この点について、以下に詳細に説明する。
【００４１】
前述のように、異常トウが発生した場合は、変位センサ２や加速度センサ４によって、その発生を検出することが可能であり、異常トウが検出されると、制御装置１３に異常トウの検出信号を送信し、送信された検出信号を基にして制御装置１３は、直ちにインクジェットプリンタ５に制御信号を出して捲縮機３の出側でトウにＵＶインクによる目印を付与することを指令することは既に説明した通りである。
【００４２】
以上に説明したように、捲縮機３の出側でＵＶインクを塗付されたトウに付与された目印より上流側に異常トウを含むトウが存在することが制御装置１３に通信されると、カッター９でこれらのトウを切断後、前記制御装置１３の制御の下に異常トウを含むカット綿を格下げ処理機１１に送ることができる。なお、その際、十分に異常トウを含むカット綿が正常なカット綿に含まれないように一定時間に渡って格下げ処理を行った後、再び良品処理機１０へとカット綿が送られることは言うまでもない。
【００４３】
このとき、異常トウ部は既に連続したトウの形状ではなく、既にカッター９によってカット綿とされていることに留意しなければならない。このように、本発明の実施形態においては、連続したトウがカット綿として切断されるが故に、異常トウ部を含むカット綿を正常なカット綿から容易かつ簡易に分離できる。更に、カット綿とされているが故に、「綿」の形状で容易にダクト内を空気輸送でき、しかも、これによって正常なカット綿と異常な格下げカット綿とを容易に分別できるのである。このとき、乾燥機７でのトウの乾燥速度とカッター９によるトウの切断速度とが異なるが、カッター９は常に作動と停止を繰り返すことによって速度調整していることは言うまでもない。
【００４４】
ここで、本発明の実施態様において、カッター９によって切断したカット綿を途中から圧縮空気を用いて格下げ処理機１１へ供給するために、空気供給配管（図示せず）を設置している。ただし、良品処理機１０から格下げ処理機１１に移行するときは、良品処理機１０への格下げ品の混入を防止するために、空気供給配管（図示せず）からの圧縮空気の供給を止めることが望ましい。
【００４５】
以上に説明したようにして、カッター９で切断されたそれぞれのカット綿は、空気輸送により図示省略したダクト内を移動させてそれぞれ良品処理機１０と格下げ処理機１１とへ運ばれる。また、その分別は、インク検出センサ８によるＵＶインクの検出と連動してカッター９と良品処理機１０及び格下げ処理機１１との間に設置された切替機１２を前記制御装置１３の制御下で切り替えることによって行なわれる。なお、本発明で言う切替機１２の具体例として、ダクト流路を切り替えるためのダンパーなどを挙げることができる。
【００４６】
本発明では、誤作動検知システムを用いることによって、良品処理機１０にＵＶインク付きのカット綿が混入したことを知らせる構成を採用している。そこで、この誤作動検知システムの作動原理について以下に説明する。
【００４７】
この誤作動検知システムでは、先ず異常トウを変位センサ２及び／又は加速度センサ４によって検知し、制御装置１３の制御の下にインクジェットプリンタ５でＵＶインクを噴き付けることが前提となっている。しかしながら、変位センサ２及び／又は加速度センサ４が正常に作動してＵＶインクが噴き付けられたにもかかわらず、インク検出センサ８によってある一定時間内にＵＶインクが検知されない場合がある。このような場合に、延伸機１から良品処理機１０及び格下げ処理機１１までの間の全ての処理設備を制御装置１３を介して停止させ、良品処理機１０側にＵＶインク付きのカット綿が混入したことを知らせる構成となっている。
【００４８】
なお、誤動作検知システムは変位センサ２及び加速度センサ４の信号とインク検出センサ８の信号とが前記制御装置１３を介して相互に正常に通信していることを確認してシステムが正常に作動していることを知る仕組みとなっている。そして、この仕組みによって、良品処理機１０にＵＶインク付きのカット綿が混入したことを知らせる仕様となっている。
【実施例】
【００４９】
［実施例１］
図１に例示した短繊維の製造装置を使用して、実際に紡糸されて合糸・引き揃えが行なわれたトウを用いた。このとき、引きつりや未延伸糸、ガタツキを故意に発生させ、そのときの良品処理機１０へのＵＶインク付きのカット綿の混入を確認した。
先ず、延伸機１においてトウを延伸させ、捲縮機３でトウに捲縮を掛け、トウの水分を完全になくし、トウを熱収縮させるためにトウを乾燥させてカッター９で切断した。このとき、捲縮機の上流側で異常トウを故意に２００回発生させ、そのときの良品処理機１０にＵＶインク付きのカット綿の混入を確認した。その結果、インクジェットプリンタ５によりトウに連続して３回塗布した場合、ＵＶインクの混入は確認できなかった。
【図面の簡単な説明】
【００５０】
【図１】本発明に係る延伸・切断装置の一実施形態を例示した概略装置構成図である。
【符号の説明】
【００５１】
１  延伸機
２  変位センサ
３  捲縮機
３a ニップローラ
４  加速度センサ
５  インクジェットプリンタ
６  インク塗布ノズル
７  乾燥機
８  インク検出センサ
９  カッター
１０  良品処理機
１１  格下げ品処理機
１２  切替機
１３  制御装置
【図１】
2010053459.tif 000002